(57)【要約】      （修正有）【課題】折り畳み可能な３セクションクランプ装置を提供する。【解決手段】３セクションクランプ装置は、第１支持ユニット１と、第２支持ユニット２と、クランプユニット３とを有し、第１支持ユニットは、真ん中から延びる第１延伸部を備える回転可能な第１ピン接合部１１と、固定しようとする箇所に挟持するために用いられるクランプ１２とを有し、第２支持ユニットは、真ん中から延びる第２延伸部を備える回転可能な第２ピン接合部２１を有し、第１延伸部及び第２延伸部は、対向に結合して同じ軸を中心に回転され、クランプユニットは、第２支持ユニットに設けられ、第１アーム３１と、延伸部と、第２アーム３３とを有し、延伸部が第１アームに設けられ、スライドにより位置調整可能になり、第２アームが延伸部に設けられ、スライドにより位置調整可能になることで、ポータブル電子製品が位置調整後の第１アームと第２アームの間に挟持され得る。【選択図】図５
0003227050.tif 000002
【実用新案登録請求の範囲】
【請求項１】
第１支持ユニットと、第２支持ユニットと、クランプユニットとを有し、
前記第１支持ユニットは、真ん中から延びる第１延伸部を備える回転可能な第１ピン接合部と、固定しようとする箇所に挟持するために用いられるクランプとを有し、
前記第２支持ユニットは、真ん中から延びる第２延伸部を備える回転可能な第２ピン接合部を有し、
前記第１延伸部及び前記第２延伸部は、対向に結合して同じ軸を中心に回転され、
前記クランプユニットは、前記第２支持ユニットに設けられ、第１アームと、延伸部と、第２アームとを有し、
前記延伸部が前記第１アームに設けられ、スライドにより位置調整可能になり、前記第２アームが前記延伸部に設けられ、スライドにより位置調整可能になることで、ポータブル電子製品が位置調整後の前記第１アームと前記第２アームの間に挟持され得ることを特徴とする、
折り畳み可能な３セクションクランプ装置。
【請求項２】
前記クランプは、前記第１支持ユニットにおける前記第１ピン接合部から離れる側に位置する固定グリッパーと、前記固定グリッパーから離れる方向に向かって直線移動できる可動グリッパーとを有し、
前記固定グリッパーと前記可動グリッパーとの間のクランプ力を維持するように、前記第１支持ユニットに前記可動グリッパーと接触する引張りバネが設けられることを特徴とする、
請求項１に記載の折り畳み可能な３セクションクランプ装置。
【請求項３】
折り畳み後、前記クランプユニットは、前記固定グリッパーと前記第１ピン接合部の間に位置することを特徴とする、
請求項２に記載の折り畳み可能な３セクションクランプ装置。
【請求項４】
前記第２アームに前記延伸部と接触する少なくとも１つの第１バネが設けられ、外力がない状態では、前記第１バネによって前記第２アームを元の位置に移動させ、
前記第１アーム箇所に前記延伸部の調整後の位置を固定するためのスナップ構造がさらに設けられることを特徴とする、
請求項１に記載の折り畳み可能な３セクションクランプ装置。
【請求項５】
前記スナップ構造は、前記第１アーム箇所に位置する押圧部及びスナップ部と、前記延伸部に位置する少なくとも１つのラックとを有し、
前記押圧部及び前記スナップ部は、前記第１アームのケースにピン接合され、
前記押圧部は、前記スナップ部と接触するトグル部をさらに有し、
前記スナップ部は、前記ラックと接触する少なくとも１つの凸歯部を有し、
前記押圧部を押し下げることによって前記トグル部を上げると共に、前記凸歯部を持ち上げて前記ラックから外すことで、前記延伸部と前記第１アームの相対位置を調整することを特徴とする、
請求項４に記載の折り畳み可能な３セクションクランプ装置。
【請求項６】
前記第２アームに前記延伸部と接触する少なくとも１つの第１バネが設けられ、外力がない状態では、前記第１バネによって前記第２アームを元の位置に移動させ、
前記第１アームに前記延伸部と接触する少なくとも１つの第２バネが設けられ、外力がない状態では、前記第２バネによって前記延伸部を元の位置に移動させることを特徴とする、
請求項１に記載の折り畳み可能な３セクションクランプ装置。
【考案の詳細な説明】
【技術分野】
【０００１】
本考案は、クランプ装置、特に大きいサイズのポータブル電子製品に用いられるクランプ装置に関する。本考案のクランプ装置は、折り畳むことによって収納スペースを節約できる。
【背景技術】
【０００２】
３Ｃ製品では、パソコンが非常に重要である。近年では、タブレットの急速な普及以来、革命的なトレンドとなる。その原因としては、タブレットは薄い且つ軽く、持ち運びが容易である個人ＰＣである。タブレットは、タッチパネルを基本入力デバイスとし、従来のキーボード及びマウスを省略するものである。ほとんどのタブレットは、指での操作をサポートし、指でタッチして書く、画面及び画像の拡縮等の操作を行う。モバイルインターネット及びハイエンドコアプロセッサーの普及、及び技術の向上につれて、タブレットは、一般的なパソコンより便利、使いやすい存在となる。
【考案の概要】
【考案が解決しようとする課題】
【０００３】
市販のタブレットのサイズは、１０インチ以上、９．７インチ、９インチ、８インチ、及び７インチに大きく分けられている。タブレットを斜めに置く、又は机に直立すると使用する場合、支持ホルダーを利用しなければならない。しかしながら、タブレットのサイズに合わせるために、従来の支持ホルダーは、タブレットのサイズより大きく、収納スペースを取ると共に、収納しづらく、持ち歩き難い等の問題がある。それを鑑みて、他の解決策を開発する必要があると考えられる。
【課題を解決するための手段】
【０００４】
上記問題を解決するために、本考案は、折り畳み可能なクランプ装置を提供する。本考案の折り畳み可能なクランプ装置は、１組の３セクションクランプユニットを利用することで、前記クランプユニットの挟持範囲を大きくして、小さいサイズの携帯電話だけでなく、大きいサイズのタブレットにも用いられる。また、本考案の折り畳み可能なクランプ装置は、折り畳み可能であることで全体的な寸法を小さくすることができ、収納又は持ち歩くに有利である。
【０００５】
上記目的を達成するために、本考案は、折り畳み可能な３セクションクランプ装置を提供する。前記折り畳み可能な３セクションクランプ装置は、第１支持ユニットと、第２支持ユニットと、クランプユニットとを有し、前記第１支持ユニットは、真ん中から延びる第１延伸部を備える回転可能な第１ピン接合部と、固定しようとする箇所に挟持するために用いられるクランプとを有し、前記第２支持ユニットは、真ん中から延びる第２延伸部を備える回転可能な第２ピン接合部を有し、前記第１延伸部及び前記第２延伸部は、対向に結合して同じ軸を中心に回転され、前記クランプユニットは、前記第２支持ユニットに設けられ、第１アームと、延伸部と、第２アームとを有し、前記延伸部が前記第１アームに設けられ、スライドにより位置調整可能になり、前記第２アームが前記延伸部に設けられ、スライドにより位置調整可能になることで、ポータブル電子製品が位置調整後の前記第１アームと前記第２アームの間に挟持され得る。
【０００６】
本考案の好ましい実施例において、前記クランプは、前記第１支持ユニットにおける前記第１ピン接合部から離れる側に位置する固定グリッパーと、前記固定グリッパーから離れる方向に向かって直線移動できる可動グリッパーとを有し、前記固定グリッパーと前記可動グリッパーとの間のクランプ力を維持するように、前記第１支持ユニットに前記可動グリッパーと接触する引張りバネが設けられる。
【０００７】
本考案の好ましい実施例において、折り畳み後、前記クランプユニットは、前記固定グリッパーと前記第１ピン接合部の間に位置する。
【０００８】
本考案の好ましい実施例において、前記第２アームに前記延伸部と接触する少なくとも１つの第１バネが設けられ、外力がない状態では、前記第１バネによって前記第２アームを元の位置に移動させ、前記第１アーム箇所に前記延伸部の調整後の位置を固定するためのスナップ構造がさらに設けられる。
【０００９】
本考案の好ましい実施例において、前記スナップ構造は、前記第１アーム箇所に位置する押圧部及びスナップ部と、前記延伸部に位置する少なくとも１つのラックとを有し、
前記押圧部及び前記スナップ部は、前記第１アームのケースにピン接合され、前記押圧部は、前記スナップ部と接触するトグル部をさらに有し、前記スナップ部は、前記ラックと接触する少なくとも１つの凸歯部を有し、前記押圧部を押し下げることによって前記トグル部を上げると共に、前記凸歯部を持ち上げて前記ラックから外すことで、前記延伸部と前記第１アームの相対位置を調整する。
【００１０】
本考案の好ましい実施例において、前記第２アームに前記延伸部と接触する少なくとも１つの第１バネが設けられ、外力がない状態では、前記第１バネによって前記第２アームを元の位置に移動させ、前記第１アームに前記延伸部と接触する少なくとも１つの第２バネが設けられ、外力がない状態では、前記第２バネによって前記延伸部を元の位置に移動させることを特徴とする。
【考案の効果】
【００１１】
上記をまとめて、従来技術と比べると、本考案は以下の利点を有する。
１．前記第１支持ユニット及び前記第２支持部材ユニットは特殊のピン接合構造を利用し、全方位に角度調整することができることで、使用上が便利である。また、折り畳み後のサイズは小さく、収納又は持ち歩くに対しても有利になる。
２．３セクションクランプユニットを利用することで、前記クランプユニットの挟持範囲を大きくして、小さいサイズの携帯電話だけでなく、大きいサイズのタブレットにも用いられる。
【図面の簡単な説明】
【００１２】
【図１】本考案の折り畳み可能な３セクションクランプ装置の折り畳み状態を示す斜視図である。
【図２】本考案の折り畳み可能な３セクションクランプ装置を展開して使用する状態を示す斜視図である。
【図３】本考案の折り畳み可能な３セクションクランプ装置を展開して使用する状態をもう１つ示す斜視図である。
【図４】本考案の折り畳み可能な３セクションクランプ装置におけるクランプユニットの位置調整後の斜視図である。
【図５】本考案の折り畳み可能な３セクションクランプ装置におけるクランプユニットの全開状態を示す斜視図である。
【図６】本考案の折り畳み可能な３セクションクランプ装置における第２アーム及び延伸部の部分構造の拡大図である。
【図７】本考案の折り畳み可能な３セクションクランプ装置における第１アームに位置するスナップ構造の斜視図である。
【図８】本考案の折り畳み可能な３セクションクランプ装置におけるスナップ構造の模式図である。
【図９Ａ】本考案の折り畳み可能な３セクションクランプ装置におけるスナップ構造の係止状態を示す断面模式図である。
【図９Ｂ】本考案の折り畳み可能な３セクションクランプ装置におけるスナップ構造の解除状態を示す断面模式図である。
【図１０】本考案の折り畳み可能な３セクションクランプ装置の他の実施例におけるクランプユニットの模式図である。
【図１１】本考案の折り畳み可能な３セクションクランプ装置の他の実施例におけるクランプユニットの全開状態を示す模式図である。
【考案を実施するための形態】
【００１３】
図１は、本考案の折り畳み状態を示す斜視図である。図２、３は、本考案の展開状態を示す斜視図である。本考案の折り畳み可能な３セクションクランプ装置は、第１支持ユニット１と、第２支持ユニット２と、クランプユニット３とを有する。前記第１支持ユニット１は、真ん中から延びる第１延伸部１１１を備える回転可能な第１ピン接合部１１を有する。前記第２支持ユニット２は、真ん中から延びる第２延伸部２１１を備える回転可能な第２ピン接合部２１を有する。前記第１延伸部１１１及び前記第２延伸部２１１は、対向に結合して同じ軸を中心に回転される。このように、前記第１ピン接合部１１によって前記第１支持ユニット１を特定の軸方向に回転させ、前記第２ピン接合部２１によって前記第２支持ユニット２を特定の軸方向に回転させることができる。また、前記第１延伸部１１１及び前記第２延伸部２１１は、互いに同じ中心軸に回転できる。そのため、前記第１支持ユニット１及び前記第２支持ユニット２は、ほぼ３６０度全方位の角度調整を行うことができる。図１、図２及び図３は、それぞれいくつの異なる形態を示す図面であり、使用者の要求に応じて対応できる。
【００１４】
前記第１支持ユニット１は、前記第１ピン接合部１１から離れる側に固定しようとする箇所に挟持するために用いられるクランプ１２を設けられる。前記クランプ１２は、色んな形であってもよく、本実施例において、その１つを例として説明する。前記クランプ１２は、固定グリッパー１２１と可動グリッパー１２２とを有する。前記固定グリッパー１２１は、前記第１支持ユニット１における前記第１ピン接合部１１から離れる側に位置する。前記可動グリッパー１２２は、前記固定グリッパー１２１及び前記第１ピン接合部１１から離れる方向に向かって直線移動できる。前記固定グリッパー１２２と前記可動グリッパー１２１との間のクランプ力を維持するように、前記第１支持ユニット１に前記可動グリッパー１２２と接触するバネ（図示せず）が設けられる。本実施例において、図１に示すように、折り畳み後、前記クランプユニット３は、前記固定グリッパー１２１と前記第１ピン接合部１１の間に位置する。それによって、本考案のクランプ装置は、折り畳み可能であることで全体的な寸法を小さくすることができる。また、前記クランプ１２によってプレート状体（図２に示す）又はその他の固定しようとするものに挟持できる。前記第１支持ユニット１及び前記第２支持ユニット２は、前記調整方法によって様々な角度に調整できる。
【００１５】
本考案の改良点としては、前記第２支持ユニット２に３セクションの前記クランプユニット３が設けられることにある。前記クランプユニット３は、固定又は回転可能に前記第２支持ユニット２に設けられる。図４において、本実施例の前記クランプユニット３が回転可能に前記第２支持ユニット２に設けられる。図５は、前記クランプユニット３の全開状態を示す斜視図である。前記クランプユニット３は３セクション構造であり、第１アーム３１と、延伸部３２と、第２アーム３３とを有する。前記延伸部３２が前記第１アーム３１に設けられ、スライドにより位置調整可能になり、前記第２アーム３３が前記延伸部３２に設けられ、スライドにより位置調整可能になる。前記のように調整すれば、前記第１アーム３１と前記第２アーム３３の間の距離を変更して、ポータブル電子製品を前記第１アーム３１と前記第２アーム３３の間に挟持できる。前記ポータブル電子製品は、携帯電話又はタブレットであってもよい。
【００１６】
前記第１アーム３１の全体的な形状がＬ型であり、横方向のケース３１０底部と前記第２支持ユニット２をピン接合することで、前記クランプユニット３を回転できる。前記延伸部３２は、Ｕ状プレート体であり、その真ん中に貫通する溝部３２０を有する。前記第２支持ユニット２とケース３１０とのピン接合構造が前記溝部３２０を通ることができる。前記ケース３１０は、前記延伸部３２の凹み領域に位置することで、前記延伸部３２が外れずに前記ケース３１０に沿って摺動できる。前記第２アーム３２は、その全体的な形状がＬ型であり、横方向に対面するように配置する２つの保持片３３２が設けられる。２つの前記保持片３３２が前記延伸部３２の両側のウイング部３２１と接触して摺動することで、前記第２アーム３３及び前記延伸部３２の位置を調整できる。
【００１７】
以下、前記第２アーム３３と第１アーム３１の間のクランプ力を維持する手段を説明する。図６に示すように、前記第２アーム３３前記延伸部３２と接触する少なくとも１つの第１バネ３３１が設けられる。前記第１バネ３３１は、前記保持片３３２及び前記ウイング部３２１内の空間に位置する。前記第２アーム３３は、２つの保持片３３２によって前記延伸部３２の両側のウイング部３２１に設けられる。図６において、一側から見た構造しか開示されていないが、他側から見た構造も同じである。それによって、前記第２アーム３３が外れずに前記延伸部３２の両側のウイング部３２１に沿って摺動できる。前記第１バネ３３１は、第２アーム３３を元の位置に戻る力を提供する。図６において、第１バネ３３１が圧縮状態であり、外力がない状態では、第２アーム３３及び延伸部３２は、図１〜図３の状態に戻る。
【００１８】
図６、図７及び図８に示すように、前記第１アーム３１に第１アーム３１及び前記延伸部３２の調整後の位置を固定するためのスナップ構造４０をさらに有する。前記スナップ構造４０は、前記第１アーム３１箇所に位置する押圧部４１及びスナップ部４２と、前記延伸部３２に位置する少なくとも１つのラック４３とを有する。前記押圧部４１及びスナップ部４２は、前記第１アーム３１のケース３１０にピン接合される。前記スナップ部４２がケース３１０の内部に隠され、前記押圧部４１の一部を露出している。前記押圧部４１は、前記スナップ部３１２と接触するトグル部４１１をさらに有する。前記スナップ部４２は、前記ラックと接触する少なくとも１つの凸歯部４２１を有する。
【００１９】
外力がない状態では、図９Ａに示すように、前記押圧部４１は、ピボット軸４１２によって前記ケース３１０（ケース３１０を図示せず）に設けられる。前記スナップ部４２は、凸歯部４２１によって前記ラック４３に係止されている。前記ラック４３は、延伸部３２構造の一部であるため、延伸部３２を引き開けられない（図の左方向に移動できない）状態となる。図９Ｂに示すように、前記押圧部４１を押し下げることによって前記トグル部４１１を上げると共に、前記凸歯部４２１を持ち上げて前記ラック４３から外すことで、前記延伸部３２の位置を変更し、前記延伸部３２と前記第１アーム３１の相対位置を調整する。
【００２０】
図５に示すように、本実施例において、まず、前記延伸部３２を引いて前記第１アーム３１との相対位置を変更する。その後、前記第２アーム３３内の第１バネ３３１を利用し、挟持するクランプ力を維持することで、ポータブル電子製品を第１アーム３１と第２アーム３３の間に挟持する。
【００２１】
図１０及び図１１において、本考案クランプユニット３Ａである第２実施例を示す。本実施例において、同じく前記第２アーム３３に前記延伸部３２に接触する少なくとも１つの第１バネ３３１が設けられるが、前記第１アーム３１に前記延伸部３２と接触する少なくとも１つの第２バネ３１３が設けられる。外力がない状態では、前記第１バネ３３１によって前記第２アーム３３を元の位置に戻り、前記第２バネ３１３によって前記延伸部３２を元の位置に戻る。前記のように、第１バネ３３１及び前記第２バネ３１３を利用すると、外力がない状態では、前記第２アーム３３、前記延伸部３２及び前記第１アーム３１が互いに緊密に並び、前記第１アーム３１と前記第２アーム３３との距離が最小となる（図２、図１０に示す）。図５、図１１に示すように、全開後、前記第２アーム３３と第１アーム３１との間の距離が最大となり、且つタブレットを挟持する緊張力を有する。
【００２２】
上記内容はあくまで本考案の好ましい実施例である。本考案は、それらに限定されない。本考案の請求の範囲に基づいてなされた均等的な変更、改良は、いずれも本考案の範囲に含む。
【符号の説明】
【００２３】
１  第１支持ユニット
１１  第１ピン接合部
１１１  第１延伸部
１２  クランプ
１２１  固定グリッパー
１２２  可動グリッパー
２  第２支持ユニット
２１  第２ピン接合部
２１１  第２延伸部
３  クランプユニット
３１  第１アーム
３１０  ケース
３１３  第２バネ
３２  延伸部
３２０  溝部
３２１  ウイング部
３３  第２アーム
３３１  第１バネ
３３２  保持片
４０  スナップ構造
４１  押圧部
４１１  トグル部
４２  スナップ部
４２１  凸歯部
４３  ラック
３Ａ  クランプユニット
【図１】
0003227050.tif 000003
【図２】
0003227050.tif 000004
【図３】
0003227050.tif 000005
【図４】
0003227050.tif 000006
【図５】
0003227050.tif 000007
【図６】
0003227050.tif 000008
【図７】
0003227050.tif 000009
【図８】
0003227050.tif 000010
【図９Ａ】
0003227050.tif 000011
【図９Ｂ】
0003227050.tif 000012
【図１０】
0003227050.tif 000013
【図１１】
0003227050.tif 000014